(57)【要約】      （修正有）【課題】簡易な構成でクルーゾフの快適範囲に従うように調光することができるＬＥＤモジュール装置及びＬＥＤ照明装置を提供する。【解決手段】基板２と、低色温度の白色光を出射する第１ＬＥＤ、第１ＬＥＤに比して高い色温度の白色光を出射する第２ＬＥＤ及び外部電源から第１ＬＥＤ及び第２ＬＥＤに供給される電流の大きさを検知する検知抵抗が直列に接続されている発光回路４と、第２ＬＥＤと並列に接続されている分流回路６と、分流回路６を通過する電流を、検知抵抗を通過する電流に基づき制御する制御回路５と、を備え、発光回路４、分流回路６及び制御回路５は、基板２上に設けられている。【選択図】図１
2015008275.tif 000002
【特許請求の範囲】
【請求項１】
色温度の異なる複数種類のＬＥＤと前記複数種類のＬＥＤに対して外部電源から供給される電流の大きさを検知する検知抵抗とが所定順序で直列に接続されている発光回路と、
前記複数種類のＬＥＤのうち所定のＬＥＤと並列に接続されている分流回路と、
前記分流回路を通過する電流を、前記検知抵抗を通過する電流に基づき制御する制御回路と、を備える
ことを特徴とするＬＥＤモジュール装置。
【請求項２】
前記発光回路、前記分流回路及び前記制御回路が、同一の基板上に設けられている
ことを特徴とする請求項１に記載のＬＥＤモジュール装置。
【請求項３】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第１ＬＥＤのアノード側端子とが接続されており、前記第１ＬＥＤのカソード側端子と前記第２ＬＥＤのアノード側端子とが接続されており、前記第２ＬＥＤのカソード側端子と前記検知抵抗の一端側とが接続されており、前記検知抵抗の他端側と前記外部電源の負極側とが接続されており、
前記制御回路は、コレクタ端子が前記第１ＬＥＤのアノード側端子に直接に又は第１負荷抵抗を介して接続されており、エミッタ端子が前記検知抵抗の他端側に直接に又は第２負荷抵抗を介して接続されており、ベース端子が前記第２ＬＥＤのカソード側端子に接続されている制御用npnトランジスタを含み、
前記分流回路は、エミッタ端子が前記第２ＬＥＤのカソード側端子に接続されており、ベース端子が前記制御用npnトランジスタのコレクタ端子に接続されており、コレクタ端
子が前記第２ＬＥＤのアノード側端子に接続されている分流用npnトランジスタを含む
ことを特徴とする請求項１又は２に記載のＬＥＤモジュール装置。
【請求項４】
前記制御回路は、アノード側端子が前記制御用npnトランジスタのベース端子と前記第
１ＬＥＤのアノード側端子とに接続されており、カソード側端子が前記第２ＬＥＤのカソード側端子に接続されているダイオードをさらに備える、
ことを特徴とする請求項３に記載のＬＥＤモジュール装置。
【請求項５】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第２ＬＥＤのアノード側端子とが接続されており、前記第２ＬＥＤのカソード側端子と前記検知抵抗の一端側とが接続されており、前記検知抵抗の他端側と前記第１ＬＥＤのアノード側端子とが接続されており、前記第１ＬＥＤのカソード側端子と前記外部電源の負極側とが接続されており、
前記制御回路は、エミッタ端子が前記第１ＬＥＤのアノード側端子に直接に又は第１負荷抵抗を介して接続されており、ベース端子が前記検知抵抗の一端側に接続されており、コレクタ端子が前記第２ＬＥＤのアノード側端子に直接に又は第２負荷抵抗を介して接続されている制御用npnトランジスタを含み、
前記分流回路は、エミッタ端子が前記第２ＬＥＤのカソード側端子に接続されており、ベース端子が前記制御用npnトランジスタのコレクタ端子に接続されており、コレクタ端
子が前記第２ＬＥＤのアノード側端子に接続されている分流用npnトランジスタを含む
ことを特徴とする請求項１又は２に記載のＬＥＤモジュール装置。
【請求項６】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記検知抵抗の一端側とが接続されており、前記検知抵抗の他端側と前記第２ＬＥＤのアノード側端子とが接続されており、前記第２ＬＥＤのカソード側端子と前記第１ＬＥＤのアノード側端子とが接続されており、前記第１ＬＥＤのカソード側端子と前記外部電源の負極側とが接続されており、
前記制御回路は、エミッタ端子が前記検知抵抗の一端側に直接に又は第１負荷抵抗を介して接続されており、ベース端子が前記第２ＬＥＤのアノード側端子に接続されており、コレクタ端子が前記第１ＬＥＤのカソード側端子に直接に又は第２負荷抵抗を介して接続されている制御用pnpトランジスタを含み、
前記分流回路は、エミッタ端子が前記第２ＬＥＤのアノード側端子に接続されており、ベース端子が前記制御用pnpトランジスタのコレクタ端子に接続されており、コレクタ端
子が前記第２ＬＥＤのカソード側端子に接続されている分流用pnpトランジスタを含む
ことを特徴とする請求項１又は２に記載のＬＥＤモジュール装置。
【請求項７】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第１ＬＥＤのアノード側端子とが接続されており、前記第１ＬＥＤのカソード側端子と前記第２ＬＥＤのアノード側端子とが接続されており、前記第２ＬＥＤのカソード側端子と前記検知抵抗の一端側とが接続されており、前記検知抵抗の他端側と前記外部電源の負極側とが接続されており、
前記制御回路は、反転入力端子が前記第２ＬＥＤのカソード側端子に接続されており、非反転入力端子が可変抵抗と接続されており、前記可変抵抗を経由して電圧が印加され、出力端子と前記反転入力端子との間で負帰還を行う制御用オペレーショナルアンプを含み、
前記分流回路は、エミッタ端子が前記第２ＬＥＤのカソード側端子に接続されており、ベース端子が前記制御用オペレーショナルアンプの出力端子に接続されており、コレクタ端子が前記第２ＬＥＤのアノード側端子に接続されている分流用npnトランジスタを含む
ことを特徴とする請求項１又は２に記載のＬＥＤモジュール装置。
【請求項８】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第１ＬＥＤのアノード側端子とが接続されており、前記第１ＬＥＤのカソード側端子と前記第２ＬＥＤのアノード側端子とが接続されており、前記第２ＬＥＤのカソード側端子と前記検知抵抗の一端側とが接続されており、前記検知抵抗の他端側と前記外部電源の負極側とが接続されており、
前記制御回路は、ドレイン端子が前記第１ＬＥＤのアノード側端子に直接に又は第１負荷抵抗を介して接続されており、ソース端子が前記検知抵抗の他端側に直接に又は第２負
荷抵抗を介して接続されており、ゲート端子が前記第２ＬＥＤのカソード側端子に接続されている制御用ｎチャネル型電界効果トランジスタを含み、
前記分流回路は、ソース端子が前記第２ＬＥＤのカソード側端子に接続されており、ゲート端子が前記制御用ｎチャネル型電界効果トランジスタのドレイン端子に接続されており、ドレイン端子が前記第２ＬＥＤのアノード側端子に接続されている分流用ｎチャネル型電界効果トランジスタを含む
ことを特徴とする請求項１又は２に記載のＬＥＤモジュール装置。
【請求項９】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第２ＬＥＤのアノード側端子とが接続されており、前記第２ＬＥＤのカソード側端子と前記検知抵抗の一端側とが接続されており、前記検知抵抗の他端側と前記第１ＬＥＤのアノード側端子とが接続されており、前記第１ＬＥＤのカソード側端子と前記外部電源の負極側とが接続されており、
前記制御回路は、ソース端子が前記第１ＬＥＤのアノード側端子に直接に又は第１負荷抵抗を介して接続されており、ゲート端子が前記検知抵抗の一端側に接続されており、ドレイン端子が前記第２ＬＥＤのアノード側端子に直接に又は第２負荷抵抗を介して接続されている制御用ｎチャネル型電界効果トランジスタを含み、
前記分流回路は、ソース端子が前記第２ＬＥＤのカソード側端子に接続されており、ゲート端子が前記制御用ｎチャネル型電界効果トランジスタのドレイン端子に接続されており、ドレイン端子が前記第２ＬＥＤのアノード側端子に接続されている分流用ｎチャネル型電界効果トランジスタを含む
ことを特徴とする請求項１又は２に記載のＬＥＤモジュール装置。
【請求項１０】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、  前記外部電源の正極側と前記検知抵抗の一端側とが接続されており、前記検知抵抗の他端側と前記第２ＬＥＤのアノード側端子とが接続されており、前記第２ＬＥＤのカソード側端子と前記第１ＬＥＤのアノード側端子とが接続されており、前記第１ＬＥＤのカソード側端子と前記外部電源の負極側とが接続されており、
前記制御回路は、ソース端子が前記検知抵抗の一端側に直接に又は第１負荷抵抗を介して接続されており、ゲート端子が前記第２ＬＥＤのアノード側端子に接続されており、ドレイン端子が前記第１ＬＥＤのカソード側端子に直接に又は第２負荷抵抗を介して接続されている制御用ｐチャネル型電界効果トランジスタを含み、
前記分流回路は、ソース端子が前記第２ＬＥＤのアノード側端子に接続されており、ゲート端子が前記制御用ｐチャネル型電界効果トランジスタのドレイン端子に接続されており、ドレイン端子が前記第２ＬＥＤのカソード側端子に接続されている分流用ｐチャネル型電界効果トランジスタを含む
ことを特徴とする請求項１又は２に記載のＬＥＤモジュール装置。
【請求項１１】
前記発光回路は、低色温度の白色光を出射する第１ＬＥＤ、前記第１ＬＥＤに比して高い色温度の白色光を出射する第２ＬＥＤ、及び外部電源から前記第１ＬＥＤ及び前記第２ＬＥＤに供給される電流の大きさを検知する検知抵抗が所定順序で直列に接続されて形成されており、
前記分流回路は、前記第２ＬＥＤと並列に接続されており、
前記外部電源の正極側と前記第１ＬＥＤのアノード側端子とが接続されており、前記第１ＬＥＤのカソード側端子と前記第２ＬＥＤのアノード側端子とが接続されており、前記第２ＬＥＤのカソード側端子と前記検知抵抗の一端側とが接続されており、前記検知抵抗の他端側と前記外部電源の負極側とが接続されており、
前記制御回路は、反転入力端子が前記第２ＬＥＤのカソード側端子に接続されており、非反転入力端子が可変抵抗と接続されており、前記可変抵抗を経由して電圧が印加され、出力端子と前記反転入力端子との間で負帰還を行う制御用オペレーショナルアンプを含み、
前記分流回路は、ソース端子が前記第２ＬＥＤのカソード側端子に接続されており、ゲート端子が前記制御用オペレーショナルアンプの出力端子に接続されており、ドレイン端子が前記第２ＬＥＤのアノード側端子に接続されている分流用ｎチャネル型電界効果トランジスタを含む
ことを特徴とする請求項１又は２に記載のＬＥＤモジュール装置。
【請求項１２】
前記制御回路は、前記発光回路に供給される電流の電流値が０から所定の電流値になるまで前記分流回路に電流を流す
ことを特徴とする請求項１乃至１１のいずれか１項に記載のＬＥＤモジュール装置。
【請求項１３】
前記制御回路は、前記発光回路に供給される電流の電流値が所定の電流値以上になったときに、前記分流回路及び前記所定のＬＥＤの双方に電流を流す
ことを特徴とする請求項１乃至１２のいずれか１項に記載のＬＥＤモジュール装置。
【請求項１４】
前記制御回路は、前記検知抵抗を通過する電流が所定の閾値を越えたときに、前記分流回路を通過する電流を減少させる
ことを特徴とする請求項１乃至１３のいずれか１項に記載のＬＥＤモジュール装置。
【請求項１５】
前記検知抵抗が可変抵抗である
ことを特徴とする請求項１乃至１４のいずれか１項に記載のＬＥＤモジュール装置。
【請求項１６】
前記第１負荷抵抗が可変抵抗である
ことを特徴とする請求項３乃至１５のいずれか１項に記載のＬＥＤモジュール装置。
【請求項１７】
前記第２負荷抵抗が可変抵抗である
ことを特徴とする請求項３乃至１６のいずれか１項に記載のＬＥＤモジュール装置。
【請求項１８】
請求項１乃至１７のいずれか１項に記載のＬＥＤモジュール装置を備えることを特徴とするＬＥＤ照明装置。
【発明の詳細な説明】
【技術分野】
【０００１】
本発明は、ＬＥＤ（Light Emitting Diode）等の発光装置を複数備えるＬＥＤモジュール装置及びＬＥＤ照明装置に関する。
【背景技術】
【０００２】
ＬＥＤ照明装置は、消費電力が小さく、かつ、長寿命であるという特徴があるので注目されており、上記の特徴を生かして、一般家庭、店舗照明、展示用の照明など多くの分野で応用されている。
【０００３】
ＬＥＤ照明装置は、紫外から青色にかけての光を発生させる半導体発光素子を励起光源とし、蛍光体を励起して白色光を得ているため、調光を行っても発生する光の色温度はほとんど変化しないという性質を有している。
【０００４】
一方で、人間の眼の感覚では、照度が低い場合には低色温度の照明光を快適と感じる傾向がある（クルーゾフ効果）。図８は、この関係を示すもので、いわゆる「クルーゾフの快適範囲」を図示したものである。従って、白色ＬＥＤ照明装置を用いて照明する場合も上記の「クルーゾフの快適範囲」を逸脱しないように調光することが好ましい。なお、図８において、縦軸は照度、横軸は色温度を表す。図８の２つの曲線に挟まれた斜線部分が快適範囲である。
【０００５】
このため、例えば、発光スペクトルの異なる複数のＬＥＤアレイをそれぞれ独立に制御してクルーゾフの快適範囲に従うように調光する発光装置が提案されている（例えば、特許文献１参照）。
【先行技術文献】
【特許文献】
【０００６】
【特許文献１】特開２０１２−１９９２１８号公報
【発明の概要】
【発明が解決しようとする課題】
【０００７】
しかしながら、特許文献１に記載の発光装置は、駆動電力を供給する給電線と調光信号を入力する配線をそれぞれ別に設ける必要があり、既設の給電線を変更して、調光信号を伝達する配線を設ける必要があった。
【０００８】
本発明はこのような課題に鑑みてなされたものであり、その目的とするところは、簡易な構成でクルーゾフの快適範囲に従うように調光することができるＬＥＤモジュール装置及びＬＥＤ照明装置を提供することにある。
【課題を解決するための手段】
【０００９】
本発明者らは、既設の２線式の配線（給電線）の他に調光信号用の配線を設ける等の変更を加えずに、クルーゾフの快適範囲に従うように調光することができるＬＥＤモジュール装置及びＬＥＤ照明装置を提供すること目的として鋭意努力の結果、本発明に到達したものである。
【００１０】
上記の目的を達成するべく、本発明のＬＥＤモジュール装置及びＬＥＤ照明装置は、基板と、低色温度の白色光を出射する第１ＬＥＤ、前記第１ＬＥＤに比して高い色温度の白色光を出射する第２ＬＥＤ及び外部電源から前記第１ＬＥＤ及び前記第２ＬＥＤに供給さ
れる電流の大きさを検知する検知抵抗が直列に接続されている発光回路と、前記第２ＬＥＤと並列に接続されている分流回路と、前記分流回路を通過する電流を、前記検知抵抗を通過する電流に基づき制御する制御回路と、を備え、前記発光回路、前記分流回路及び前記制御回路は、前記基板上に設けられている。
【００１１】
従って、ＬＥＤモジュール装置から出射する白色光の明るさを変化させたときに、その色温度をクルーゾフの快適範囲に従って適切に調整することができる。また、既設の２線式の配線（給電線）の他に調光信号用の配線を設ける等の変更を加えずに、構成をより簡易にすることができ、コストを低減することができる。
【発明の効果】
【００１２】
以上のことから、本発明によれば、簡易な構成でクルーゾフの快適範囲に従うように調光できるＬＥＤモジュール装置及びＬＥＤ照明装置を実現することができる。
【図面の簡単な説明】
【００１３】
【図１】本実施形態のＬＥＤモジュール装置の概略を示すブロック図である。
【図２】第１実施例のＬＥＤモジュール装置の電気回路図である。
【図３】第１実施例のＬＥＤモジュール装置の白色光の特性を評価した結果を示すグラフである。
【図４】第２実施例のＬＥＤモジュール装置の電気回路図である。
【図５】第３実施例のＬＥＤモジュール装置の電気回路図である。
【図６】第４実施例のＬＥＤモジュール装置の電気回路図である。
【図７】第５実施例のＬＥＤモジュール装置の電気回路図である。
【図８】クルーゾフの快適範囲を示すグラフである。
【図９】第１実施例の変形例を示す。
【図１０】第２実施例の変形例を示す。
【図１１】第３実施例の変形例を示す。
【図１２】第４実施例の変形例を示す。
【図１３】第５実施例の変形例を示す。
【発明を実施するための形態】
【００１４】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び変形例の説明に用いる図面は、いずれも本発明によるＬＥＤモジュール装置及びＬＥＤ照明装置を模式的に示すものであって、理解を深めるべく部分的な強調、拡大、縮小、又は省略などを行っており、各構成部材の縮尺や形状等を正確に表すものとはなっていない場合がある。更に、実施例及び各変形例で用いる様々な数値及び数量は、いずれも一例を示すものであり、必要に応じて様々に変更することが可能である。
【００１５】
（本実施形態のＬＥＤモジュール装置の構成）
図１は、本実施形態に係るＬＥＤ（Light Emitting Diode）モジュール装置１の概略を示すブロック図である。図１に示すように、ＬＥＤモジュール装置１は、基板２、可変定電流回路３、発光回路４、制御回路５及び分流回路６を有する。発光回路４、制御回路５及び分流回路６は、基板２上に搭載されている。なお、発光回路４は、例えば、図２に示すように、第１ＬＥＤ１１、第２ＬＥＤ１２及び電流検知抵抗（Rse）１３が導通方向に
直列に接続されて構成されている。
【００１６】
可変定電流回路３には、外部接続端子（図示せず）が設けられている。外部接続端子は、可変定電流回路３に電流を供給するための外部電源（図示せず）と接続されている。ま
た、可変定電流回路３は、発光回路４と接続されている。そして、基板２上には、配線がパターニングされており、パターニングされた配線により発光回路４、制御回路５及び分流回路６が接続されている。このようにして、ＬＥＤモジュール装置１は、可変定電流回路３、発光回路４、制御回路５及び分流回路６に電流を供給する。
【００１７】
基板２としては、例えば、アルミ材、絶縁層、及び銅箔を順次積層して形成されるアルミ基板、又はその他の金属基板を用いることができる。特に、当該アルミ基板は、熱伝導性、耐熱性、加工性、及び耐電圧性に優れており、ＬＥＤモジュール２の発光特性及び信頼性の向上に寄与する。
【００１８】
可変定電流回路３は、外部電源（図示せず）から供給される電流を一定の電流値の直流電流に変換する。また、可変定電流回路３は、外部電源から供給される電流値を外部操作によって連続的に可変することができる。このようにして、ＬＥＤモジュール装置１は、外部からの操作に基づいて、第１ＬＥＤ１１及び第２ＬＥＤ１２から出射する光束（照度）を制御することができる。
【００１９】
ＬＥＤモジュール装置１に供給される電圧は、第１ＬＥＤ１１及び第２ＬＥＤ１２の直列接続数によって定まる。近紫外〜青系のＬＥＤは、ＧａＮ系ＬＥＤであるので、ＬＥＤ１個当たりの順方向電圧は、約３Ｖである。
【００２０】
発光回路４は、可変定電流回路３、制御回路５及び分流回路６と接続されている。発光回路４は、例えば、図２に示すように、第１ＬＥＤ１１、第２ＬＥＤ１２及び電流検知抵抗１３が導通方向に直列に接続されて構成されている。第１ＬＥＤ１１及び第２ＬＥＤ１２は、可変定電流回路３から供給される直流電流に基づいて発光する。
【００２１】
第１ＬＥＤ１１及び第２ＬＥＤ１２は、その接続方向が、各ＬＥＤの方向が同一方向となるように接続されてする。ＬＥＤの接続数は、所望の光束と使用可能な駆動電圧によって定まる。例えば、ＬＥＤモジュール装置１に供給される電圧が１２〜１５Ｖの場合には、第１ＬＥＤ１１を１個、第２ＬＥＤ１２を３個直列に接続するのが好ましい。
【００２２】
第１ＬＥＤ１１及び第２ＬＥＤ１２は、近紫外または紫色ＬＥＤチップ（半導体発光素子）と当該近紫外または紫色ＬＥＤチップを覆う青色蛍光体、緑色蛍光体及び赤色蛍光体を有し、当該近紫外または紫色ＬＥＤチップから出射する近紫外または紫色光によって青色蛍光体、緑色蛍光体及び赤色蛍光体を励起させて青色光、緑色光及び赤色光を出射し、青色光、緑色光及び赤色光を合成して白色光を出射する。ＬＥＤモジュール装置１では、第１ＬＥＤ１１及び第２ＬＥＤ１２の蛍光体の組み合わせ量を変更することによって、出射光の色温度を調整することができる。
【００２３】
第１ＬＥＤ１１及び第２ＬＥＤ１２に異なる色温度のＬＥＤを用いた場合には、第１ＬＥＤ１１及び第２ＬＥＤ１２からそれぞれ出射される光の光束を変化させることによって、合成される白色光の色温度を変化させることができる。第１ＬＥＤ１１は、例えば、色温度が約１９００Ｋの白色光を出射し、第２ＬＥＤ１２は、例えば、色温度が約４０００Ｋの白色光を出射する。すなわち、第１ＬＥＤ１１は、低色温度の白色光を出射し、第２ＬＥＤ１２は、第１ＬＥＤ１１に比して高い色温度の白色光を出射する。
【００２４】
電流検知抵抗１３は、通過する電流によって生じる電圧降下を利用して電流の大きさを検知する。電流検知抵抗１３の抵抗値は、制御回路５に使用する能動素子に依存する。例えば、能動素子がシリコンバイポーラトランジスタである場合には、電流検知抵抗１３の抵抗値は、当該能動素子のベースエミッタ間のpn接合の順方向電圧である０．６〜０．７Ｖ程度の電圧が生じるような抵抗値を選択するのが好ましい。
【００２５】
制御回路５は、発光回路４及び分流回路６と接続されている。制御回路５は、電流検知抵抗１３の両端の電圧によって電流の変化を検知して分流回路６を通過する電流を制御する制御信号を発生して、当該制御信号を分流回路６に送信し、分流回路６に分流する電流量を制御する回路である。すなわち、制御回路５は、分流回路６を通過する電流を、電流検知抵抗１３を通過する電流に基づき制御する。制御回路５は、例えば、バイポーラトランジスタ、接合型ＦＥＴ、ＭＯＳＦＥＴ、オペレーショナルアンプ（ＯＰアンプ）等の能動素子によって構成される。
【００２６】
分流回路６は、発光回路４に並列に接続されている。特に、分流回路６は、第２ＬＥＤ１２に並列に接続されており、第１ＬＥＤ１１を通過して第２ＬＥＤ１２に流れるべき電流の一部又は実質的にすべてを分流（バイパス）する。バイパスする電流の量は、制御回路５から送信される制御信号に基づいて増減する。分流回路６は、例えば、バイポーラトランジスタ、接合型ＦＥＴ、ＭＯＳＦＥＴ等の能動素子によって構成される。分流回路６の能動素子は、０．５〜１Ａ程度の電流を扱うものが好ましい。
【００２７】
以上、図１に基づき、一部図２を用いて本発明の概要を述べた。以下に図２〜図７を用いて、第１実施例〜第５実施例のＬＥＤモジュール装置の電気回路図の構成を詳述する。
【００２８】
（第１実施例のＬＥＤモジュール装置の電気回路図）
図２は、第１実施例のＬＥＤモジュール装置１０の概略を示す電気回路図である。図２に示すように、第１実施例のＬＥＤモジュール装置１０は、npnバイポーラトランジスタ
を制御回路５及び分流回路６に用いて構成した例である。
【００２９】
発光回路４は、可変定電流回路３の正極側端子から負極側端子に向かって、第１ＬＥＤ１１、第２ＬＥＤ１２、電流検知抵抗１３の順に導通方向に直列に接続されて構成されている。具体的には、発光回路４では、可変定電流回路３の正極側端子と第１ＬＥＤ１１のアノード側端子とが接続されており、第１ＬＥＤ１１のカソード側端子と第２ＬＥＤ１２のアノード側端子とが接続されており、第２ＬＥＤ１２のカソード側端子と電流検知抵抗１３の一端側とが接続されており、電流検知抵抗１３の他端側と可変定電流回路３の負極側端子とが接続されている。
【００３０】
図２の例では、発光回路４は、第１ＬＥＤ１１が１個、第２ＬＥＤ１２が３個直列に接続されている。ＬＥＤモジュール装置１に供給される電圧は、１２〜１５Ｖが好ましい。また、電流検知抵抗１３の抵抗値は、０．１Ａで０．７Ｖ程度の電圧降下を得ることを考慮して、７Ω程度が好ましい。
【００３１】
制御回路５は、npnバイポーラトランジスタ１４を能動素子として用いている。制御回
路５は、発光回路４と並列に接続されて構成されている。また、制御回路５は、npnバイ
ポーラトランジスタ１４、エミッタ抵抗１５及び第１負荷抵抗１６が接続されて構成されている。具体的には、制御回路５では、npnバイポーラトランジスタ１４のエミッタ端子
がエミッタ抵抗１５を介して電流検知抵抗１３の他端側に接続されており、npnバイポー
ラトランジスタ１４のベース端子が第２ＬＥＤ１２のカソード側端子に接続されており、npnバイポーラトランジスタ１４のコレクタ端子が第１負荷抵抗１６を介して第１ＬＥＤ
１１のアノード側端子に接続されている。
【００３２】
npnバイポーラトランジスタ１４は、制御用トランジスタである。npnバイポーラトランジスタ１４としては、例えば、2SC1815等がコレクタ損失を考慮すると適当である。エミ
ッタ抵抗１５は、npnバイポーラトランジスタ１４のエミッタ側の抵抗であって、２００
〜５００Ω程度が好ましい。第１負荷抵抗１６は、npnバイポーラトランジスタ１４のコ
レクタの負荷抵抗であって、抵抗値は１〜５ｋΩ程度が好ましい。
【００３３】
分流回路６は、制御回路５と同様に、npnバイポーラトランジスタ１７を能動素子とし
て用いている。分流回路６は、発光回路４の第２ＬＥＤ１２と並列に接続されて構成されている。具体的に、分流回路６では、npnバイポーラトランジスタ１７のエミッタ端子が
電流検知抵抗１３に接続されており、npnバイポーラトランジスタ１７のベース端子がnpnバイポーラトランジスタ１４のコレクタ端子に接続されており、npnバイポーラトランジ
スタ１７のコレクタ端子が第２ＬＥＤ１２のアノード側端子に接続されている。
【００３４】
npnバイポーラトランジスタ１７は、分流用トランジスタである。npnバイポーラトランジスタ１７としては、例えば、2SC1815、2SC1858、2SC3325又はこれらと同等品を用いる
ことができる。電流検知抵抗１３は、npnバイポーラトランジスタ１７のエミッタ側の抵
抗を兼ねている。
【００３５】
次に、第１実施例のＬＥＤモジュール装置１０の動作について説明する。まず、ＬＥＤモジュール装置１０は、電流値が０のときに、外部から可変定電流装置３が操作されて電流値を上げる（照度を上げる）操作がされると、第１負荷抵抗１６に微量の電流が流れ、npnバイポーラトランジスタ１７がオンとなる。続いて、ＬＥＤモジュール装置１０は、npnバイポーラトランジスタ１７のコレクタ電流として、第１ＬＥＤ１１、npnバイポーラ
トランジスタ１７、電流検知抵抗１３の順に電流が流れる。これにより、第１ＬＥＤ１１の発光が開始する。このとき、第２ＬＥＤ１２にはほとんど電流が流れず、第２ＬＥＤ１２は、照明装置として実質的に意味のある程度には発光しない。
【００３６】
続いて、ＬＥＤモジュール装置１０は、外部からさらに電流値を上げる操作がされると、第１ＬＥＤ１１に流れる電流が増加し、第１ＬＥＤ１１がさらに強く発光する。続いて、ＬＥＤモジュール装置１０は、外部からさらに電流値を上げる操作がされると、第１ＬＥＤ１１、npnバイポーラトランジスタ１７に加えて、第２ＬＥＤ１２に電流が流れ、第
２ＬＥＤ１２の発光が開始する。これにより、第１ＬＥＤ１１及び第２ＬＥＤ１２の合成白色光が出射される。
【００３７】
すなわち、制御回路５は、発光回路４に供給される電流の電流値が０から所定の電流値になるまで、分流回路６に電流を流し、第２ＬＥＤ１２に実質的に電流を流さない。また、制御回路５は、発光回路４に供給される電流の電流値が所定の電流値以上になったときに、分流回路６及び第２ＬＥＤ１２の双方に電流を流す。
【００３８】
続いて、ＬＥＤモジュール装置１０は、外部からさらに電流値を上げる操作がされ、電流検知抵抗１３に１００ｍＡの電流が流れると（電流検知抵抗１３の抵抗値は７Ωとする）、npnバイポーラトランジスタ１４のベースエミッタ間電圧ＶＢＥが０．７Ｖ程度とな
り、npnバイポーラトランジスタ１４がオンとなる。続いて、ＬＥＤモジュール装置１０
は、npnバイポーラトランジスタ１４のコレクタ電流として、第１負荷抵抗１６、npnバイポーラトランジスタ１４及びエミッタ抵抗１５の順に電流が流れ始める。
【００３９】
続いて、ＬＥＤモジュール装置１０は、外部からさらに電流値を上げる操作がされると、電流検知抵抗１３の電圧降下が大きくなり、その結果、npnバイポーラトランジスタ１
４のベースエミッタ間電圧ＶＢＥが大きくなると、npnバイポーラトランジスタ１４のコ
レクタ電流が大きくなる。これにより、ＬＥＤモジュール装置１０は、第１負荷抵抗１６の電圧降下が大きくなり、その結果、npnバイポーラトランジスタ１７のベースエミッタ
間電圧ＶＢＥが低下し、npnバイポーラトランジスタ１７に流れるコレクタ電流が減少す
る。すなわち、第２ＬＥＤ１２に流れる電流が増加し、第２ＬＥＤ１２がさらに強く発光する。
【００４０】
すなわち、制御回路５は、電流検知抵抗１３を通過する電流が所定の閾値を越えたときに、分流回路６を通過する電流を減少する。
【００４１】
続いて、ＬＥＤモジュール装置１０は、外部からさらに電流値を上げる操作がされ、npnバイポーラトランジスタ１７のベースエミッタ間電圧ＶＢＥが０．７Ｖ以下になると、npnバイポーラトランジスタ１７がオフとなり、npnバイポーラトランジスタ１７を流れる
電流が０となる。すなわち、第１ＬＥＤ１１、第２ＬＥＤ１２及び電流検知抵抗１３にすべての電流が流れる。
【００４２】
一方、ＬＥＤモジュール装置１０は、第１ＬＥＤ１１、第２ＬＥＤ１２及び電流検知抵抗１３にすべての電流が流れている状態において、外部から電流値を下げる（照度を下げる）操作がされ、npnバイポーラトランジスタ１４のベース電流が減少すると、npnバイポーラトランジスタ１４のコレクタ電流も減少し、第１負荷抵抗１６における電圧降下も小さくなる。その結果、ＬＥＤモジュール装置１０は、npnバイポーラトランジスタ１７の
ベースエミッタ間電圧ＶＢＥが０．７Ｖ以上になると、npnバイポーラトランジスタ１７
がオンとなる。続いて、ＬＥＤモジュール装置１０は、npnバイポーラトランジスタ１７
のコレクタ電流として、npnバイポーラトランジスタ１７に第１ＬＥＤ１１を通過した電
流が流れ始める。
【００４３】
続いて、ＬＥＤモジュール装置１０は、外部からさらに電流値を下げる操作がされると、電流検知抵抗１３の電圧降下が小さくなり、その結果、npnバイポーラトランジスタ１
４のベースエミッタ間電圧ＶＢＥが小さくなると、npnバイポーラトランジスタ１４のコ
レクタ電流が小さくなる。これにより、ＬＥＤモジュール装置１０は、第１負荷抵抗１６の電圧降下が小さくなり、その結果、npnバイポーラトランジスタ１７のベースエミッタ
間電圧ＶＢＥが増加し、npnバイポーラトランジスタ１７に流れるコレクタ電流が増加す
る。すなわち、第２ＬＥＤ１２に流れる電流が減少し、第２ＬＥＤ１２の発光が弱まる。
【００４４】
続いて、ＬＥＤモジュール装置１０は、外部からさらに電流値を下げる操作がされ、電流検知抵抗１３に流れる電流が１００ｍＡ以下となり（電流検知抵抗１３の抵抗値は７Ωとする）、npnバイポーラトランジスタ１４のベースエミッタ間電圧ＶＢＥが０．７Ｖ以
下となると、npnバイポーラトランジスタ１４がオフとなる。その結果、ＬＥＤモジュー
ル装置１０は、npnバイポーラトランジスタ１４及びエミッタ抵抗１５に電流が流れなく
なる。
【００４５】
続いて、ＬＥＤモジュール装置１０は、外部からさらに電流値を下げる操作がされると、npnバイポーラトランジスタ１７に流れるコレクタ電流が増加すると共に第２ＬＥＤ１
２に流れる電流が減少し、第２ＬＥＤ１２の発光が弱まる。続いて、ＬＥＤモジュール装置１０は、外部からさらに電流値を下げる操作がされると、第２ＬＥＤ１２に電流が流れなくなり、第２ＬＥＤ１２の発光が終了する。これにより、第１ＬＥＤ１１及び第２ＬＥＤ１２の合成白色光の出射が終了する。
【００４６】
続いて、ＬＥＤモジュール装置１０は、外部からさらに電流値を下げる操作がされると、第１ＬＥＤ１１に流れる電流が減少し、第１ＬＥＤ１１の発光が弱まる。続いて、ＬＥＤモジュール装置１０は、外部からさらに電流値を下げる操作がされ、電流値が０になると、第１ＬＥＤ１１の発光が終了する。
【００４７】
（第１実施例のＬＥＤモジュール装置の特性）
次に、図３は、第１実施例のＬＥＤモジュール装置１０から出射する白色光の特性を評価した結果を示すグラフである。具体的な評価方法として、ＬＥＤモジュール装置１０の
発光回路４に供給する実際の入力電流値（印加電流）を変化させた場合に、ＬＥＤモジュール装置１０から出射する白色光の色温度（Ｋ）、及びＬＥＤモジュール装置１０から白色光の光軸方向に５０ｃｍ離間した位置の照度（ｌｘ）を測定した。図３の横軸は発光回路４への入力電力値（ｍＡ）であり、縦軸はＬＥＤモジュール装置１０から出射する白色光の色温度（Ｋ）、及びＬＥＤモジュール装置１０から合成白色光の光軸方向に５０ｃｍ離間した位置（すなわち、ＬＥＤモジュール装置１０から５０ｃｍ直下）の照度（ｌｘ）である。
【００４８】
図３に示すように、発光回路４への印加電流を０から増加させると、まず、第１ＬＥＤ１１のみが発光し、ＬＥＤモジュール装置１０から５０ｃｍ直下の照度は、徐々に増加する。そして、ＬＥＤモジュール装置１０から５０ｃｍ直下の照度は、印加電流の値が１００ｍＡを越えると、第１ＬＥＤ１１に加えて第２ＬＥＤ１２も発光し、印加電流の値が大きくなると、その増加率が大きくなる。一方、ＬＥＤモジュール装置１０から出射する白色光の色温度は、まず、第１ＬＥＤ１１のみが発光し、１９００Ｋとなる。そして、ＬＥＤモジュール装置１０から出射する白色光の色温度は、印加電流の値が１００ｍＡを越えると、第１ＬＥＤ１１に加えて第２ＬＥＤ１２も発光し、印加電流の値が大きくなると、印加電流の増加に正比例して増加する。
【００４９】
より具体的な数値データとして、発光回路４に対して駆動電流を供給しない場合には、ＬＥＤモジュール装置１０から出射する白色光の色温度及び５０ｃｍ直下の照度は、共に０であった。続いて、発光回路４に対する印加電流が５０ｍＡに達すると、第１ＬＥＤ１１のみが発光して、ＬＥＤモジュール装置１０からは１９００Ｋの白色光が出射し、５０ｃｍ直下の照度は約４０ｌｘであった。続いて、発光回路４に対する印加電流が１００ｍＡに達すると、第１ＬＥＤ１１が発光すると共に第２ＬＥＤ１２が発光を開始し、ＬＥＤモジュール装置１０からは１９００Ｋの光が出射し、５０ｃｍ直下の照度は約８０ｌｘであった。続いて、発光回路４に対する印加電流が２００ｍＡに達すると、第１ＬＥＤ１１及び第２ＬＥＤ１２が発光し、ＬＥＤモジュール装置１０からは３１５０Ｋの光が出射し、５０ｃｍ直下の照度は約５００ｌｘであった。続いて、発光回路４に対する印加電流が３００ｍＡに達すると、第１ＬＥＤ１１及び第２ＬＥＤ１２が発光し、ＬＥＤモジュール装置１０からは３６００Ｋの光が出射し、５０ｃｍ直下の照度は約１４００ｌｘであった。続いて、発光回路４に対する印加電流が４００ｍＡに達すると、第１ＬＥＤ１１及び第２ＬＥＤ１２が発光し、ＬＥＤモジュール装置１０からは３７５０Ｋの光が出射し、５０ｃｍ直下の照度は約２５５０ｌｘであった。
【００５０】
以上のように、第１実施例のＬＥＤモジュール装置１０から出射する白色光の色温度は、おおむね、白色光が明るくなるとともに増加した。具体的には、白色光が比較的暗い場合には、その色温度が１９００Ｋに近く、電球色の光がＬＥＤモジュール装置１０から出射されていたが、白色光がより明るくなるにつれて、その色温度が増加して最終的には４０００Ｋに近づき、昼白色に近い色の光をＬＥＤモジュール装置１０から出射した。
【００５１】
（第１実施例のＬＥＤモジュール装置の作用・効果）
このようにして、第１実施例のＬＥＤモジュール装置１０では、基板２と、低色温度の白色光を出射する第１ＬＥＤ１１、第２ＬＥＤ１２及び電流検知抵抗１３が直列に接続されている発光回路４と、第２ＬＥＤ１２と並列に接続されている分流回路６と、分流回路６を通過する電流を、電流検知抵抗１３を通過する電流に基づき制御する制御回路５と、を有し、発光回路４、分流回路６及び制御回路５は、基板２上に設けられている。
【００５２】
これにより、第１実施例のＬＥＤモジュール装置１０では、当該ＬＥＤモジュール装置１０から出射する白色光の明るさを変化させたときに、その色温度をクルーゾフの快適範囲に従って適切に調整することができる。また、第１実施例のＬＥＤモジュール装置１０
では、既設の２線式の配線（給電線）の他に調光信号用の配線を設ける等の変更を加えずに、構成をより簡易にすることができる。これにより、第１実施例のＬＥＤモジュール装置１０では、コストの低減が十分になされることになる。
【００５３】
以上のことから、第１実施例のＬＥＤモジュール装置１０では、簡易な構成でクルーゾフの快適範囲に従うように調光することができる。
【００５４】
具体的に、発光回路４は、正極側と第１ＬＥＤ１１のアノード側端子とが接続されており、第１ＬＥＤ１１のカソード側端子と第２ＬＥＤ１２のアノード側端子とが接続されており、第２ＬＥＤ１２のカソード側端子と電流検知抵抗１３の一端側とが接続されており、電流検知抵抗１３の他端側と負極側とが接続されている。また、制御回路５は、エミッタ端子が電流検知抵抗１３の他端側に接続されており、ベース端子が第２ＬＥＤ１２のアノード側端子に接続されており、コレクタ端子が第１ＬＥＤ１１のアノード側端子に接続されている制御用npnトランジスタ１４からなる。分流回路６は、エミッタ端子が第２Ｌ
ＥＤ１２のカソード側端子に接続されており、ベース端子が制御用npnトランジスタ１４
のコレクタ端子に接続されており、コレクタ端子が第２ＬＥＤ１２のアノード側端子に接続されている分流用npnトランジスタ１７からなる。従って、一段と簡易な構成でクルー
ゾフの快適範囲に従うように調光することができる。
【００５５】
さらに、制御回路５は、発光回路４に供給される電流の電流値が０から所定の電流値になるまで分流回路６に電流を流し、第２ＬＥＤ１２に実質的に電流を流さない。従って、白色光が比較的暗い場合には、その色温度が１９００Ｋに近く、電球色の光をＬＥＤモジュール装置１０から出射することができる。
【００５６】
さらに、制御回路５は、発光回路４に供給される電流の電流値が所定の電流値以上になったときに、分流回路６及び第２ＬＥＤ１２の双方に電流を流す。その後、制御回路５は、電流検知抵抗１３を通過する電流が所定の閾値を越えたときに、分流回路６を通過する電流を減少する。従って、白色光がより明るくなるにつれて、その色温度が増加して最終的には４０００Ｋに近づき、昼白色に近い色の光をＬＥＤモジュール装置１０から出射することができる。
【００５７】
（第２実施例のＬＥＤモジュール装置の電気回路図）
図４は、第２実施例のＬＥＤモジュール装置２０の概略を示す電気回路図である。図４に示すように、第２実施例のＬＥＤモジュール装置２０は、制御回路２１の構成が、第１実施例の制御回路５と異なること、及び第１実施例の発光回路４の電流検知抵抗１３の抵抗値が異なることを除いて、第１実施例のＬＥＤモジュール装置１０と同様に構成されている。
【００５８】
具体的には、制御回路２１は、第１実施例の制御回路５の構成に加えて、npnバイポー
ラトランジスタ１４のベース端子及び第２ＬＥＤ１２のアノード側端子間に接続されているダイオード２２をさらに有する。ダイオード２２は、アノード側端子がnpnバイポーラ
トランジスタ１４のベース端子に接続され、さらに、第２負荷抵抗２３を介して第１ＬＥＤ１１のアノード側端子とに接続されており、カソード側端子が第２ＬＥＤ１２のカソード側端子に接続されている。
【００５９】
ダイオード２２は、シリコン接合型ダイオードである。ダイオード２２は、順方向に電流を流した場合には、約０．７Ｖの順方向電圧が得られる。第２負荷抵抗２３は、ダイオード２２に順方向に電流を流すための負荷抵抗であって、２〜１０ＫΩ程度が好ましい。
【００６０】
また、第２実施例のＬＥＤモジュール装置２０では、ダイオード２２の順方向電圧が加
わるため、電流検知抵抗１３による電圧降下が半減される。従って、電流検知抵抗１３の抵抗値は、３Ω程度が好ましい。
【００６１】
なお、制御回路２１では、ダイオード２２のカソード側端子を可変定電流回路３の負極側端子に接続するようにしてもよい。
【００６２】
第２実施例のＬＥＤモジュール装置２０の動作について説明する。外部から可変定電流装置３が操作されて電流値を上げる（照度を上げる）操作がなされ、第１負荷抵抗１６に微量の電流が流れ、npnバイポーラトランジスタ１７がオンとなり、第１ＬＥＤ１１の発
光が開始する。外部からさらに電流値を上げる操作がなされると、第１ＬＥＤ１１に流れる電流が増加し、第１ＬＥＤ１１がさらに強く発光する。外部からさらに電流値を上げる操作がされると、第２ＬＥＤ１２にも電流が流れ、第２ＬＥＤ１２の発光が開始される。これにより、第１ＬＥＤ１１及び第２ＬＥＤ１２の合成白色光が出射される。ここまでの動作は、第１実施例と同じである。
【００６３】
さらに、外部から電流値を上げる操作がなされると、npnバイポーラトランジスタ１４
のベースエミッタ間電圧ＶＢＥの上昇によってnpnバイポーラトランジスタ１４がオンと
なる。その後、さらに外部から電流値を上げる操作がなされると、npnバイポーラトラン
ジスタ１４のベースエミッタ間電圧ＶＢＥも大きくなり、npnバイポーラトランジスタ１
４のコレクタ電流が大きくなる。この結果、第１負荷抵抗１６の電圧降下が大きくなり、npnバイポーラトランジスタ１７のベースエミッタ間電圧ＶＢＥが低下し、npnバイポーラトランジスタ１７に流れるコレクタ電流が減少する。すなわち、第２ＬＥＤ１２に流れる電流が増加し、第２ＬＥＤ１２がさらに強く発光する。
【００６４】
さらに電流値を上げる操作がなされると、npnバイポーラトランジスタ１７がオフとな
り、可変定電流回路３からの電流が第１ＬＥＤ１１及び第２ＬＥＤ１２を流れる状態となる。このような状態から、電流値を下げる操作がなされると、上記と逆の動作が行われる。電流値の低下に伴い、第２ＬＥＤ１２が消灯し、やがて第１ＬＥＤ１１も消灯する。
【００６５】
（第２実施例のＬＥＤモジュール装置の特性）
第２実施例のＬＥＤモジュール装置２０から出射する白色光の色温度は、第１実施例のＬＥＤモジュール装置１０と同様に、おおむね、白色光が明るくなるとともに増加した。具体的には、白色光が比較的暗い場合には、その色温度が１９００Ｋに近く、電球色の光がＬＥＤモジュール装置２０から出射されていたが、白色光がより明るくなるにつれて、その色温度が増加して最終的には４０００Ｋに近づき、昼白色に近い色の光をＬＥＤモジュール装置２０から出射した。
【００６６】
（第２実施例のＬＥＤモジュール装置の作用・効果）
このようにして、第２実施例のＬＥＤモジュール装置２０では、制御回路２１が、第１実施例の制御回路５の構成に加えて、アノード側端子が制御用npnトランジスタ１４のベ
ース端子と第１ＬＥＤ１１のアノード側端子とに接続されており、カソード側端子が第２ＬＥＤ１２のカソード側端子に接続されているダイオード２２をさらに有する。
【００６７】
従って、第１実施例のＬＥＤモジュール装置１０と同様に、簡易な構成でクルーゾフの快適範囲に従うように調光することができると共に、ダイオード２２の順方向電圧が加わるため、電流検知抵抗１３による電圧降下を半減し、電力損失を半減することができる。
【００６８】
すなわち、第１実施例のＬＥＤモジュール装置１０では、電流検知抵抗１３の抵抗値が７Ωであったため、電流検知抵抗１３に４００ｍＡ程度の電流を流した場合に電力損失が１．１２Ｗ程度となっていた。しかしながら、第２実施例のＬＥＤモジュール装置２０で
は、ダイオード２２のアノード側端子をnpnバイポーラトランジスタ１４のベース端子と
第２負荷抵抗２３を介して可変定電流回路３の正極側端子とに接続し、ダイオード２２のカソード側端子を第２ＬＥＤ１２のカソード側端子に接続したことにより、電流検知抵抗１３の抵抗値を３Ω程度とすることができ、電流検知抵抗１３に４００ｍＡ程度の電流を流した場合に電力損失を０．４８Ｗ程度とすることができた。
【００６９】
（第３実施例のＬＥＤモジュール装置の電気回路図）
図５は、第３実施例のＬＥＤモジュール装置３０の概略を示す電気回路図である。図５に示すように、第３実施例のＬＥＤモジュール装置３０は、発光回路３１の構成が、第１実施例の発光回路４と異なること、及びそれに伴うnpnバイポーラトランジスタ１４の各
端子の接続位置が異なることを除いて、第１実施例のＬＥＤモジュール装置１０と同様に構成されている。
【００７０】
発光回路３１は、可変定電流回路３の正極側端子から負極側端子に向かって、第２ＬＥＤ１２、電流検知抵抗１３、第１ＬＥＤ１１の順に直列に接続されて構成されている。具体的に、発光回路３１は、可変定電流回路３の正極側端子と第２ＬＥＤ１２のアノード側端子とが接続されており、第２ＬＥＤ１２のカソード側端子と電流検知抵抗１３の一端側とが接続されており、電流検知抵抗１３の他端側と第１ＬＥＤ１１のアノード側端子とが接続されており、第１ＬＥＤ１１のカソード側端子と可変定電流回路３の負極側端子とが接続されている。電流検知抵抗１３の抵抗値は、第１実施例の電流検知抵抗１３と同様に、７Ω程度が好ましい。
【００７１】
制御回路５は、発光回路３１の第２ＬＥＤ１２及び電流検知抵抗１３と並列に接続されて構成されている。制御回路５では、npnバイポーラトランジスタ１４のエミッタ端子が
エミッタ抵抗１５を介して第１ＬＥＤ１１のアノード側端子に接続されており、npnバイ
ポーラトランジスタ１４のベース端子が電流検知抵抗１３の一端側に接続されており、npnバイポーラトランジスタ１４のコレクタ端子が第１負荷抵抗１６を介して第２ＬＥＤ１
２のアノード側端子に接続されている。
【００７２】
なお、制御回路５では、エミッタ抵抗１５の代わりに、ツェナーダイオードを用いるようにしてもよい。この場合、ツェナーダイオードのアノード側端子は可変定電流回路３の負極側端子に接続され、ツェナーダイオードのカソード側端子はnpnバイポーラトランジ
スタ１４のエミッタ端子に接続される。
【００７３】
分流回路６は、発光回路３１の第２ＬＥＤ１２と並列に接続されて構成されている。分流回路６では、npnバイポーラトランジスタ１７のエミッタ端子が第２ＬＥＤ１２のカソ
ード側端子に接続されており、npnバイポーラトランジスタ１７のベース端子がnpnバイポーラトランジスタ１４のコレクタ端子に接続されており、npnバイポーラトランジスタ１
７のコレクタ端子が第２ＬＥＤ１２のアノード側端子に接続されている。
【００７４】
第３実施例のＬＥＤモジュール装置３０の動作は、第１実施例とほぼ同様である。すなわち、外部から可変定電流装置３が操作されて電流値を上げる（照度を上げる）操作がなされると、第１負荷抵抗１６に微量の電流が流れ、npnバイポーラトランジスタ１７がオ
ンとなる。これによって、npnバイポーラトランジスタ１７のコレクタ電流が第１負荷抵
抗１６を介して第１ＬＥＤ１１に流れ、第１ＬＥＤ１１の発光が開始される。ここまでの時点では、第２ＬＥＤ１２自体の抵抗値により、第２ＬＥＤ１２に電流は流れない。
【００７５】
さらに外部からの電流値を上げていくと、第１ＬＥＤ１１に流れる電流が増加して第１ＬＥＤ１１が強く発光するようになり、やがて第２ＬＥＤ１２にも電流が流れ、第２ＬＥＤ１２の発光が開始される。これにより、第１ＬＥＤ１１及び第２ＬＥＤ１２の合成白色
光が出射される。
【００７６】
さらに、外部から電流値を上げる操作がなされると、npnバイポーラトランジスタ１４
がオンとなり、npnバイポーラトランジスタ１４のコレクタ電流が大きくなる。コレクタ
電流は、第１ＬＥＤ１１を流れる。また、npnバイポーラトランジスタ１４のオンによっ
て、第１負荷抵抗１６の電圧降下が大きくなる、これに伴い、npnバイポーラトランジス
タ１７のベースエミッタ間電圧ＶＢＥが低下し、npnバイポーラトランジスタ１７に流れ
るコレクタ電流が減少する。すなわち、第２ＬＥＤ１２に流れる電流が増加し、第２ＬＥＤ１２がさらに強く発光する。
【００７７】
さらに電流値を上げる操作がなされると、npnバイポーラトランジスタ１７がオフとな
り、可変定電流回路３からの電流が第１ＬＥＤ１１及び第２ＬＥＤ１２を流れる状態となる。このような状態から、電流値を下げる操作がなされると、上記と逆の動作が行われる。電流値の低下に伴い、第２ＬＥＤ１２が消灯し、やがて第１ＬＥＤ１１も消灯する。
【００７８】
（第３実施例のＬＥＤモジュール装置の特性）
第３実施例のＬＥＤモジュール装置３０から出射する白色光の色温度は、第１実施例のＬＥＤモジュール装置１０と同様に、おおむね、白色光が明るくなるとともに増加した。具体的には、白色光が比較的暗い場合には、その色温度が１９００Ｋに近く、電球色の光がＬＥＤモジュール装置３０から出射されていたが、白色光がより明るくなるにつれて、その色温度が増加して最終的には４０００Ｋに近づき、昼白色に近い色の光をＬＥＤモジュール装置３０から出射した。
【００７９】
（第３実施例のＬＥＤモジュール装置の作用・効果）
このようにして、第３実施例のＬＥＤモジュール装置３０では、発光回路３１は、正極側と第２ＬＥＤ１２のアノード側端子とが接続されており、第２ＬＥＤ１２のカソード側端子と電流検知抵抗１３の一端側とが接続されており、電流検知抵抗１３の他端側と第１ＬＥＤ１１のアノード側端子とが接続されており、第１ＬＥＤ１１のカソード側端子と負極側とが接続されている。制御回路５は、エミッタ端子が第１ＬＥＤ１１のアノード側端子に接続されており、ベース端子が電流検知抵抗１３の一端側に接続されており、コレクタ端子が第２ＬＥＤ１２のアノード側端子に接続されている制御用npnトランジスタ１４
を含む。分流回路６は、エミッタ端子が第２ＬＥＤ１２のカソード側端子に接続されており、ベース端子が制御用npnトランジスタ１４のコレクタ端子に接続されており、コレク
タ端子が第２ＬＥＤ１２のアノード側端子に接続されている分流用npnトランジスタ１７
を含む。
【００８０】
従って、第１実施例のＬＥＤモジュール装置１０と同様に、簡易な構成でクルーゾフの快適範囲に従うように調光することができる。
【００８１】
（第４実施例のＬＥＤモジュール装置の電気回路図）
図６は、第４実施例のＬＥＤモジュール装置４０の概略を示す電気回路図である。図６に示すように、第４実施例のＬＥＤモジュール装置４０は、pnpバイポーラトランジスタ
を制御回路４２及び分流回路４３に用いて構成した例である。
【００８２】
発光回路４１は、可変定電流回路３の正極側端子から負極側端子に向かって、電流検知抵抗１３、第２ＬＥＤ１２、第１ＬＥＤ１１の順に直列に接続されて構成されている。具体的に、発光回路４１は、可変定電流回路３の正極側端子と電流検知抵抗１３の一端側とが接続されており、電流検知抵抗１３の他端側と第２ＬＥＤ１２のアノード側端子とが接続されており、第２ＬＥＤ１２のカソード側端子と第１ＬＥＤ１１のアノード側端子とが接続されており、第１ＬＥＤ１１のカソード側端子と可変定電流回路３の負極側端子とが
接続されている。電流検知抵抗１３の抵抗値は、第１実施例の電流検知抵抗１３と同様に、７Ω程度が好ましい。
【００８３】
制御回路４２は、pnpバイポーラトランジスタ４４を能動素子として用いている。制御
回路４２は、発光回路４１と並列に接続されて構成されている。また、制御回路４２は、pnpバイポーラトランジスタ４４、エミッタ抵抗１５及び第１負荷抵抗１６が接続されて
構成されている。具体的に、制御回路４２では、pnpバイポーラトランジスタ４４のエミ
ッタ端子がエミッタ抵抗１５を介して電流検知抵抗１３の一端側に接続されており、pnp
バイポーラトランジスタ４４のベース端子が第２ＬＥＤ１２のアノード側端子に接続されており、pnpバイポーラトランジスタ４４のコレクタ端子が第１負荷抵抗１６を介して第
１ＬＥＤ１１のカソード側端子に接続されている。
【００８４】
pnpバイポーラトランジスタ４２は、制御用トランジスタである。pnpバイポーラトランジスタ４４としては、コレクタ電流として１Ａ程度を流すことができるものであればよい。また、少なくとも、１５０℃の温度に耐えられるものが好ましい。pnpバイポーラトラ
ンジスタ４４としては、例えば、2SA1837、2SB1182、2SB1375等が適当である。
【００８５】
分流回路４３は、制御回路４２と同様に、pnpバイポーラトランジスタ４５を能動素子
として用いている。分流回路４３は、発光回路４１の第２ＬＥＤ１２と並列に接続されて構成されている。具体的には、分流回路４５において、pnpバイポーラトランジスタ４５
のエミッタ端子が第２ＬＥＤ１２のアノード側端子に接続されており、pnpバイポーラト
ランジスタ４５のベース端子がpnpバイポーラトランジスタ４４のコレクタ端子に接続さ
れており、pnpバイポーラトランジスタ４５のコレクタ端子が第２ＬＥＤ１２のカソード
側端子に接続されている。
【００８６】
pnpバイポーラトランジスタ４５は、分流用トランジスタである。pnpバイポーラトランジスタ４５としては、pnpバイポーラトランジスタ４２と同様に、例えば、2SA1837、2SB1182、2SB1375又はこれらと同等品を用いることができる。
【００８７】
第４実施例のＬＥＤモジュール装置４０の動作は、以下の通りである。すなわち、外部から可変定電流装置３が操作されて電流値を上げる（照度を上げる）操作がなされると、電流検知抵抗１３を介してpnpバイポーラトランジスタ４５のエミッタからベースへ電流
が流れ、第１負荷抵抗１６に微量の電流が流れる。これによって、pnp バイポーラトランジスタ４５のベース電位が下がり、pnp バイポーラトランジスタ４５がオンとなる。これによって、可変定電流回路３からの電流が電流検知抵抗１３，pnp バイポーラトランジスタ４５（分流回路４３）を通って第１ＬＥＤ１１に流れ、第１ＬＥＤ１１の発光が開始される。この時点では、第２ＬＥＤ１２に電流は流れない。
【００８８】
さらに外部からの電流値を上げていくと、第１ＬＥＤ１１に流れる電流が増加して第１ＬＥＤ１１が強く発光するようになり、やがて第２ＬＥＤ１２にも電流が流れ、第２ＬＥＤ１２の発光が開始される。これにより、第１ＬＥＤ１１及び第２ＬＥＤ１２の合成白色光が出射される。
【００８９】
さらに、外部から電流値を上げる操作がなされると、pnp バイポーラトランジスタ４５がオンとなり、pnpバイポーラトランジスタ４４のコレクタ電流が大きくなる。これに伴
い、pnpバイポーラトランジスタ４５のベース電位が上がり、pnpバイポーラトランジスタ４５のコレクタ電流が減少する。したがって、第２ＬＥＤ１２に流れる電流が増加し、第２ＬＥＤ１２がさらに強く発光する。
【００９０】
さらに電流値を上げる操作がなされると、pnpバイポーラトランジスタ４４がオフとな
り、可変定電流回路３からの電流が電流検知抵抗１３を介して第１ＬＥＤ１１及び第２ＬＥＤ１２を流れる状態となる。このような状態から、電流値を下げる操作がなされると、上記と逆の動作が行われる。電流値の低下に伴い、第２ＬＥＤ１２が消灯し、やがて第１ＬＥＤ１１も消灯する。
【００９１】
（第４実施例のＬＥＤモジュール装置の特性）
第４実施例のＬＥＤモジュール装置４０から出射する白色光の色温度は、第１実施例のＬＥＤモジュール装置１０と同様に、おおむね、白色光が明るくなるとともに増加した。具体的には、白色光が比較的暗い場合には、その色温度が１９００Ｋに近く、電球色の光がＬＥＤモジュール装置４０から出射されていたが、白色光がより明るくなるにつれて、その色温度が増加して最終的には４０００Ｋに近づき、昼白色に近い色の光をＬＥＤモジュール装置４０から出射した。
【００９２】
（第４実施例のＬＥＤモジュール装置の作用・効果）
このようにして、第４実施例のＬＥＤモジュール装置４０では、発光回路４１は、正極側と電流検知抵抗１３の一端側とが接続されており、電流検知抵抗１３の他端側と第２ＬＥＤ１２のアノード側端子とが接続されており、第２ＬＥＤ１２のカソード側端子と第１ＬＥＤ１１のアノード側端子とが接続されており、第１ＬＥＤ１１のカソード側端子と負極側とが接続されている。制御回路４２は、エミッタ端子が電流検知抵抗１３の一端側に接続されており、ベース端子が第２ＬＥＤ１２のアノード側端子に接続されており、コレクタ端子が第１ＬＥＤ１１のカソード側端子に接続されている制御用pnpトランジスタ４
４からなる。分流回路４３は、エミッタ端子が第２ＬＥＤ１２のアノード側端子に接続されており、ベース端子が制御用pnpトランジスタ４４のコレクタ端子に接続されており、
コレクタ端子が第２ＬＥＤ１２のカソード側端子に接続されている分流用pnpトランジス
タ４５からなる。
【００９３】
従って、第１実施例のＬＥＤモジュール装置１０と同様に、簡易な構成でクルーゾフの快適範囲に従うように調光することができる。
【００９４】
（第５実施例のＬＥＤモジュール装置の電気回路図）
図７は、第５実施例のＬＥＤモジュール装置５０の概略を示す電気回路図である。図７に示すように、第５実施例のＬＥＤモジュール装置５０は、制御回路５１の構成が、第１実施例の制御回路５と異なること及び第１実施例の発光回路４の電流検知抵抗１３の抵抗値が異なることを除いて、第１実施例のＬＥＤモジュール装置１０と同様に構成されている。
【００９５】
発光回路４の電流検知抵抗１３の抵抗値は、電流が０〜０．５Ａの範囲で、０〜０．５Ｖ電圧降下が得られればよいことから、１Ω程度が適当である。
【００９６】
制御回路５１は、オペレーショナルアンプ（ＯＰアンプ）５２を能動素子として用いている。制御回路５１は、発光回路４と並列に接続されて構成されている。また、制御回路５１は、オペレーショナルアンプ５２、第１干渉防止抵抗５３、第１可変抵抗５４、第２干渉防止抵抗５５及び第２可変抵抗５６が接続されて構成されている。具体的に、制御回路５１は、オペレーショナルアンプ５２の反転入力端子が第１干渉防止抵抗５３を介して第２ＬＥＤ１２のカソード側端子に接続されており、オペレーショナルアンプ５２の非反転入力端子に接続された第１可変抵抗５４に基づき電圧が印加され、オペレーショナルアンプ５２の出力端子が第２干渉防止抵抗５５を介してnpnバイポーラトランジスタ１７の
ベース端子に接続されていると共に、第２可変抵抗５６を介してオペレーショナルアンプ５２の反転入力端子に接続されている。
【００９７】
オペレーショナルアンプ５２は、差動増幅器として動作するので、反転入力端子及び非反転入力端子間の電位差を変更することによって色温度変曲点の位置を変更できる。オペレーショナルアンプ５２としては、NJM3414Aまたはこれと同等品が適当である。
【００９８】
第１干渉防止抵抗５３及び第２干渉防止抵抗５５は、回路間の干渉を避ける目的で挿入される。第１干渉防止抵抗５３の抵抗値は１ｋΩ程度が好ましく、第２干渉防止抵抗５５の抵抗値は１００Ω程度が好ましい。
【００９９】
第１可変抵抗５４は、オペレーショナルアンプ５２の非反転入力端子にバイアス電圧を印加する。また、第１可変抵抗５４は、抵抗値を調整することにより、色温度の変化範囲、変曲点を調整することができる。第２可変抵抗５６は、負帰還の量を調整する。また、第２可変抵抗５６は、抵抗値を調整することにより、オペレーショナルアンプ５２の利得を調整することができる。第１可変抵抗５４及び第２可変抵抗５６の抵抗値は１０ｋΩ程度が好ましい。
【０１００】
（第５実施例のＬＥＤモジュール装置の特性）
第５実施例のＬＥＤモジュール装置５０から出射する白色光の色温度は、第１実施例のＬＥＤモジュール装置１０と同様に、おおむね、白色光が明るくなるとともに増加した。具体的には、白色光が比較的暗い場合には、その色温度が１９００Ｋに近く、電球色の光がＬＥＤモジュール装置５０から出射されていたが、白色光がより明るくなるにつれて、その色温度が増加して最終的には４０００Ｋに近づき、昼白色に近い色の光をＬＥＤモジュール装置５０から出射した。
【０１０１】
第５実施例のＬＥＤモジュール装置５０の動作は、以下の通りである。すなわち、外部から可変定電流装置３が操作されて電流値を上げる（照度を上げる）操作がなされる。電流検知抵抗１３の電圧降下により発生する電圧が非反転入力端子に接続された第１可変抵抗５４に基づく電圧よりも低い場合には、オペレーショナルアンプ（ＯＰアンプ）５２は作動増幅回路として高い電圧を発生する。(具体的には高い電圧はオペレーショナルアン
プの電源電圧に対して１Ｖ程度低い電圧となる)。
【０１０２】
この高い電圧は第２干渉防止抵抗５５を介してnpnバイポーラトランジスタ１７のベー
スに接続され、npnバイポーラトランジスタ１７のベースからエミッタに電流が流れるこ
とによりnpn バイポーラトランジスタ１７がオンとなる。これによって、可変定電流回路３からの電流が電流検知抵抗１３，npn バイポーラトランジスタ１７（分流回路６）を通って第１ＬＥＤ１１に流れ、第１ＬＥＤ１１の発光が開始される。この時点では、第２ＬＥＤ１２に電流は流れない。
【０１０３】
さらに外部からの電流値を上げていくと、第１ＬＥＤ１１に流れる電流が増加して第１ＬＥＤ１１が強く発光するようになる。
【０１０４】
さらに外部からの電流値を上げていくと、電流検知抵抗１３の電圧降下により発生する電圧が非反転入力端子に接続された第１可変抵抗５４に基づく電圧に近くなり、オペレーショナルアンプ（ＯＰアンプ）５２の出力電圧が下がる。これによって、npn バイポーラトランジスタ１７のコレクタからエミッタに流れる電流が減少し、第２ＬＥＤ１２にも電流が流れ、第２ＬＥＤ１２の発光が開始される。これにより、第１ＬＥＤ１１及び第２ＬＥＤ１２の合成白色光が出射される。
【０１０５】
さらに、外部から電流値を上げる操作がなされると、電流検知抵抗１３の電圧降下により発生する電圧が非反転入力端子に接続された第１可変抵抗５４に基づく電圧より高くなる。すると、オペレーショナルアンプ（ＯＰアンプ）５２の出力電圧がさらに下がり、np
nバイポーラトランジスタ１７のコレクタ電流が減少する。したがって、第２ＬＥＤ１２
に流れる電流が増加し、第２ＬＥＤ１２がさらに強く発光する。
【０１０６】
さらに電流値を上げる操作がなされると、オペレーショナルアンプ（ＯＰアンプ）５２の出力電圧が０Ｖに近い値まで下がり、npnバイポーラトランジスタ１７がオフとなり、
可変定電流回路３からの電流が電流検知抵抗１３を介して第１ＬＥＤ１１及び第２ＬＥＤ１２を流れる状態となる。このような状態から、電流値を下げる操作がなされると、上記と逆の動作が行われる。電流値の低下に伴い、第２ＬＥＤ１２が消灯し、やがて第１ＬＥＤ１１も消灯する。
【０１０７】
（第５実施例のＬＥＤモジュール装置の作用・効果）
このようにして、第５実施例のＬＥＤモジュール装置５０では、制御回路５１が、反転入力端子が第２ＬＥＤ１２のカソード側端子に接続されており、非反転入力端子が可変抵抗と接続されており、前記可変抵抗を経由して電圧が印加され、出力端子と反転入力端子との間で負帰還を行う制御用オペレーショナルアンプ５２からなる。
【０１０８】
従って、第１実施例のＬＥＤモジュール装置１０と同様に、簡易な構成でクルーゾフの快適範囲に従うように調光することができると共に、電圧検知抵抗１３の抵抗値を制御回路５１の能動素子としてバイポーラトランジスタを用いた場合に比べて小さくできるので電力損失を低減することができる。
【０１０９】
（変形例）
なお、本発明に係るＬＥＤモジュール装置を搭載したＬＥＤ照明装置は、上述した効果を奏することが可能であるため、ダウンライト、スポットライト、ユニバーサルダウンライト、ハロゲン電球、及び白熱電球等の様々な一般照明装置に適用することができる。
【０１１０】
また、本発明に係るＬＥＤモジュール装置は、第１ＬＥＤ１１及び第２ＬＥＤ１２が青色ＬＥＤチップと当該青色ＬＥＤチップを覆う黄色蛍光体を有しており、当該青色ＬＥＤチップから出射する青色光によって黄色蛍光体を励起させて黄色光を出射し、青色光及び黄色光を合成して白色光を出射してもよく、さらに、赤色ＬＥＤチップ、緑色ＬＥＤチップ、及び青色ＬＥＤチップを有しており、各ＬＥＤチップから出射する赤色光、緑色光、及び青色光を合成して白色光を出射してもよく、この他種々の組み合わせに適用することができる。また、第１ＬＥＤ１１及び第２ＬＥＤ１２は、同一のＬＥＤであっても良く、異なるＬＥＤであっても良い。このように構成することにより、ＬＥＤ照明装置は、一段と簡易な構成でクルーゾフの快適範囲に従うように調光することができる。
【０１１１】
さらに、本発明に係るＬＥＤモジュール装置は、第１ＬＥＤ１１から出射する白色光の色温度を１５００Ｋ以上３０００Ｋ以下の範囲内で調整することができ、赤色〜オレンジ色の光であってもよい。そして、本発明に係るＬＥＤモジュール装置は、第１ＬＥＤ１１から出射する白色光の色温度に応じて、第２ＬＥＤ１２から出射する白色光の色温度を４０００Ｋ以上に調整するようしてもよい。このような場合であっても、第１ＬＥＤ１２から出射する白色光の色温度（赤色〜オレンジ色の光を含む）と、第２ＬＥＤ１３から出射する白色光の色温度との合成色温度を１５００Ｋ以上４０００Ｋ以下に調整することが好ましい。更に好ましくは、最終的に、当該合成色温度を１５００Ｋ以上３０００Ｋ以下に調整することが好ましい。
【０１１２】
さらに、本発明に係るＬＥＤモジュール装置は、本発明を逸脱しない限りにおいて、第１ＬＥＤ１１及び第２ＬＥＤ１２を任意の個数とし、任意の配置構成とすることができる。
【０１１３】
さらに、本発明に係るＬＥＤモジュール装置は、ＬＥＤチップと蛍光体とが離間した構造、すなわち、いわゆるリモートフォスファー型のＬＥＤであっても良く、この他本発明を逸脱しない限りにおいて、ＬＥＤランプの使用環境及び使用用途に応じてその構造を適宜選択することができる。
【０１１４】
また、第１〜第５実施例で説明した電流検知抵抗１３，第１負荷抵抗１６，エミッタ抵抗１５（第２負荷抵抗）のそれぞれは、可変抵抗であっても良い。また、第２実施例で説明した第２負荷抵抗２３も、可変抵抗であっても良い。これらの抵抗として可変抵抗が採用されることで、抵抗器の製品間のばらつきを調整可能となる。
【０１１５】
また、第１〜第５実施例におけるバイポーラトランジスタに代えて電界効果トランジスタ（ＦＥＴ）を適用可能である。図９は、第１実施例（図２）に示したnpnバイポーラト
ランジスタ１４，１７のそれぞれをｎチャネル型のＭＯＳＦＥＴ１４Ａ，１７Ａに置換したＬＥＤモジュール装置１０Ａを示す。
【０１１６】
図９において、ＭＯＳＦＥＴ１４Ａは、ソース端子、ゲート端子、及びドレイン端子を有している。ソース端子は、抵抗１５を介して電流検知抵抗１３の他端側に接続されており、ゲート端子は、第２ＬＥＤ１２のカソード側端子に接続されており、ドレイン端子は、第１負荷抵抗１６を介して第１ＬＥＤ１１のアノード側端子に接続されている。
【０１１７】
ＭＯＳＦＥＴ１７Ａも、ソース端子、ゲート端子、及びドレイン端子を有している。ソース端子は、電流検知抵抗１３の一端側に接続されており、ゲート端子は、ＭＯＳＦＥＴ１４Ａのドレイン端子に接続されており、ドレイン端子は、第２ＬＥＤ１２のアノード側端子に接続されている。
【０１１８】
図１０は、第２実施例（図４）で説明したnpnバイポーラトランジスタ１４及び１７の
それぞれをＭＯＳＦＥＴ１４Ａ，ＭＯＳＦＥＴ１７Ａに置換したＬＥＤモジュール装置２０Ａを示す。
【０１１９】
図１０において、ＭＯＳＦＥＴ１４Ａのソース端子は、抵抗１５を介して電流検知抵抗１３の他端側に接続されている。ＭＯＳＦＥＴ１４Ａのゲート端子は、第２負荷抵抗２３を介して第１ＬＥＤ１１のアノード側端子に接続されている。ＭＯＳＦＥＴ１４Ａのドレイン端子は、第１負荷抵抗１６を介して第１ＬＥＤ１１のアノード側端子に接続されている。そして、ダイオード２２は、ＭＯＳＦＥＴ１４Ａのゲート端子及び第２ＬＥＤ１２のアノード側端子間に接続されている。ＭＯＳＦＥＴ１７Ａの接続状態は、図９と同じである。
【０１２０】
図１１は、第３実施例（図５）で説明したnpnバイポーラトランジスタ１４及び１７の
それぞれをＭＯＳＦＥＴ１４Ａ，ＭＯＳＦＥＴ１７Ａに置換したＬＥＤモジュール装置３０Ａを示す。
【０１２１】
図１１において、ＭＯＳＦＥＴ１４Ａのソース端子は、抵抗１５を介して第１ＬＥＤ１１のアノード側端子に接続されており、ゲート端子は、電流検知抵抗１３の一端側に接続されており、ドレイン端子は、第１負荷抵抗１６を介して第２ＬＥＤ１２のアノード側端子に接続されている。
【０１２２】
また、ＭＯＳＦＥＴ１７Ａのソース端子は、第２ＬＥＤ１２のカソード側端子に接続されており、ゲート端子は、ＭＯＳＦＥＴ１４Ａのドレイン端子に接続されており、ＭＯＳＦＥＴ１７Ａのドレイン端子は、第２ＬＥＤ１２のアノード側端子に接続されている。
【０１２３】
図１２は、第４実施例（図６）で説明したpnpバイポーラトランジスタ４４及び４５の
それぞれをｐチャネル型のＭＯＳＦＥＴ４４Ａ，ＭＯＳＦＥＴ４５Ａに置換したＬＥＤモジュール装置４０Ａを示す。
【０１２４】
図１２において、ＭＯＳＦＥＴ４４Ａのソース端子は、抵抗１５を介して電流検知抵抗１３の一端側に接続されており、ゲート端子は第２ＬＥＤ１２のアノード側端子に接続されており、ドレイン端子は第１負荷抵抗１６を介して第１ＬＥＤ１１のカソード側端子に接続されている。
【０１２５】
また、ＭＯＳＦＥＴ４５Ａのソース端子は、第２ＬＥＤ１２のアノード側端子に接続されており、ゲート端子はＭＯＳＦＥＴ４４Ａのドレイン端子に接続されており、ドレイン端子は第２ＬＥＤ１２のカソード側端子に接続されている。
【０１２６】
図１３は、第５実施例（図７）に示したnpnバイポーラトランジスタ１７をｎチャネル
型のＭＯＳＦＥＴ１７Ａに置換した分流回路６を含むＬＥＤモジュール装置５０Ａを示す。  
【産業上の利用可能性】
【０１２７】
本発明は、ＬＥＤ等の発光装置を複数備えるＬＥＤモジュール装置及びＬＥＤ照明装置として、一般照明装置の他、種々の用途の照明装置に適用することができる。
【符号の説明】
【０１２８】
１……ＬＥＤモジュール装置、２……基板、３……可変定電流回路、４、３１、４１……発光回路、５、２１、４２、５１……制御回路、６、４３……分流回路１１……第１ＬＥＤ、１２……第２ＬＥＤ、１３……電流検知抵抗、１４、１７……npnバイポーラトラン
ジスタ、１５……第１バイアス抵抗、１６……第１負荷抵抗、２２……ダイオード、２３……第２負荷抵抗、４４、４５……pnpバイポーラトランジスタ、５２……オペレーショ
ナルアンプ、５３……第１干渉防止抵抗、５４……第１可変抵抗、５５……第２干渉防止抵抗、５６……第２可変抵抗 
【図１】
2015008275.tif 000003
【図２】
2015008275.tif 000004
【図３】
2015008275.tif 000005
【図４】
2015008275.tif 000006
【図５】
2015008275.tif 000007
【図６】
2015008275.tif 000008
【図７】
2015008275.tif 000009
【図８】
2015008275.tif 000010
【図９】
2015008275.tif 000011
【図１０】
2015008275.tif 000012
【図１１】
2015008275.tif 000013
【図１２】
2015008275.tif 000014
【図１３】
2015008275.tif 000015